(57)【要約】  負荷試験装置は、第１試験対象電源と接続する第１入力部と、定格電圧が小さい第２試験対象電源と接続する第２入力部と、第１抵抗ユニットと、定格容量が小さい第２抵抗ユニットと、第１試験対象電源から供給された電力の電圧について降圧し、第２試験対象電源から供給された電力の電圧について昇圧する双方向変圧器とを備える。第１入力部に接続された第１試験対象電源の負荷試験では、第１試験対象電源から、昇圧も降圧も行われない状態で第１抵抗ユニットに電力供給が行われ、双方向変圧器で降圧された状態で第２抵抗ユニットを構成する抵抗器群の一部に電力供給が行われ、第２入力部に接続された第２試験対象電源の負荷試験では、第２試験対象電源から、双方向変圧器で昇圧された状態で第１抵抗ユニットを構成する抵抗器群の一部に電力供給が行われ、昇圧も降圧も行われない状態で第２抵抗ユニットに電力供給が行われる。
2017134768.tif 000002
【特許請求の範囲】
【請求項１】
第１試験対象電源と接続する第１入力部と、
前記第１試験対象電源よりも、定格電圧が小さい第２試験対象電源と接続する第２入力部と、
１以上の抵抗器を有する抵抗器群が複数設けられた第１抵抗ユニットと、
１以上の抵抗器を有する抵抗器群が複数設けられ、前記第１抵抗ユニットよりも、定格容量が小さい第２抵抗ユニットと、
前記第１入力部を介し、前記第１試験対象電源から供給された電力の電圧について降圧し、前記第２入力部を介し、前記第２試験対象電源から供給された電力の電圧について昇圧する双方向変圧器とを備え、前記第１抵抗ユニットや前記第２抵抗ユニットにおける抵抗器群のうち電圧印加する抵抗器群の数を変えることで負荷量を調整しながら負荷試験を行うために使用される負荷試験装置であって、
前記第１入力部に接続された前記第１試験対象電源の負荷試験であって、最大の負荷をかける場合は、前記第１試験対象電源から、昇圧も降圧も行われない状態で前記第１抵抗ユニットに電力供給が行われ、前記双方向変圧器で降圧された状態で前記第２抵抗ユニットを構成する抵抗器群の一部または全部に電力供給が行われ、
前記第２入力部に接続された前記第２試験対象電源の負荷試験であって、最大の負荷をかける場合は、前記第２試験対象電源から、前記双方向変圧器で昇圧された状態で前記第１抵抗ユニットを構成する抵抗器群の一部に電力供給が行われ、昇圧も降圧も行われない状態で前記第２抵抗ユニットに電力供給が行われることを特徴とする負荷試験装置。
【請求項２】
前記第１入力部を介し、前記第１試験対象電源から前記第１抵抗ユニットや前記双方向変圧器への電力供給のオンオフ制御を行う第１遮断器と、
前記第２入力部を介し、前記第２試験対象電源から前記第２抵抗ユニットや前記双方向変圧器への電力供給のオンオフ制御を行う第２遮断器と、
前記第１入力部を介し、前記第１試験対象電源から前記第１抵抗ユニットや前記双方向変圧器への電力供給が行われている場合に、前記第２遮断器をオフ状態にし、
前記第２入力部を介し、前記第２試験対象電源から前記第２抵抗ユニットや前記双方向変圧器への電力供給が行われている場合に、前記第１遮断器をオフ状態にするインターロック回路を更に備えることを特徴とする請求項１に記載の負荷試験装置。
【請求項３】
前記第１入力部を介し、前記第１試験対象電源から前記第１抵抗ユニットや前記双方向変圧器への電力供給が行われている場合に、前記第１抵抗ユニットや前記第２抵抗ユニットを構成する抵抗器群のうち負荷試験に使用する抵抗器群を選択するための操作スイッチの操作状態にかかわらず、前記第２抵抗ユニットを構成する抵抗器群のうち、前記第１試験対象電源の負荷試験で最大の負荷をかける場合でも使用しない抵抗器群への電力供給を遮断し、前記第２入力部を介し、前記第２試験対象電源から前記第２抵抗ユニットや前記双方向変圧器への電力供給が行われている場合に、前記操作スイッチの操作状態にかかわらず、前記第１抵抗ユニットを構成する抵抗器群のうち、前記第２試験対象電源の負荷試験で最大の負荷をかける場合でも使用しない抵抗器群への電力供給を遮断する制御装置を更に備えることを特徴とする請求項１に記載の負荷試験装置。
【請求項４】
前記第２試験対象電源の定格電圧は、前記第１試験対象電源の定格電圧の１／５以下であることを特徴とする請求項１に記載の負荷試験装置。
【請求項５】
前記第２抵抗ユニットの定格容量は、前記第１抵抗ユニットの定格容量の１／３以下であることを特徴とする請求項１に記載の負荷試験装置。
【請求項６】
前記第１抵抗ユニットを構成する抵抗器群のうち、前記第２試験対象電源の負荷試験に使用されるものの定格容量は、前記第２抵抗ユニットを構成する抵抗器群の定格容量よりも小さいことを特徴とする請求項５に記載の負荷試験装置。
【請求項７】
前記第１抵抗ユニットや前記第２抵抗ユニットを構成する抵抗器群のうち、負荷試験に使用する抵抗器群を選択するための操作スイッチと、試験対象電源の種類を選択するために使用されるモードスイッチとを有する操作部を更に備え、
前記モードスイッチが、前記第１入力部を介して、前記第１試験対象電源の負荷試験を行う第１使用モードに設定された場合に、前記操作スイッチの操作状態にかかわらず、前記第２抵抗ユニットを構成する抵抗器群のうち、前記第１使用モードで使用しない抵抗器群への電力供給を遮断し、前記モードスイッチが、前記第２入力部を介して、前記第２試験対象電源の負荷試験を行う第２使用モードに設定された場合に、前記操作スイッチの操作状態にかかわらず、前記第１抵抗ユニットを構成する抵抗器群のうち、前記第２使用モードで使用しない抵抗器群への電力供給を遮断する制御装置を更に備えることを特徴とする請求項１に記載の負荷試験装置。
【請求項８】
前記第２抵抗ユニットを構成する抵抗器群のうち、前記第１試験対象電源の負荷試験に使用されるものの定格容量は、前記第１試験対象電源の容量の４分の３以下であることを特徴とする請求項１に記載の負荷試験装置。
【発明の詳細な説明】
【技術分野】
【０００１】
本発明は、負荷試験装置に関する。
【背景技術】
【０００２】
従来、特許文献１のように、発電機の負荷試験を行う負荷試験装置で変圧器を含むものが提案されている。
【先行技術文献】
【特許文献】
【０００３】
【特許文献１】特開２０１１−１６９７０２号公報
【発明の概要】
【発明が解決しようとする課題】
【０００４】
しかしながら、試験対象電源からの電力の電圧について、総て変圧した状態で抵抗器に印加するため、変圧器が大型化する問題がある。【０００５】
したがって本発明の目的は、変圧器を大型化させずに、異なる電圧の試験対象電源の負荷試験が可能な負荷試験装置を提供することである。
【課題を解決するための手段】
【０００６】
本発明に係る負荷試験装置は、第１試験対象電源と接続する第１入力部と、第１試験対象電源よりも、定格電圧が小さい第２試験対象電源と接続する第２入力部と、１以上の抵抗器を有する抵抗器群が複数設けられた第１抵抗ユニットと、１以上の抵抗器を有する抵抗器群が複数設けられ、第１抵抗ユニットよりも、定格容量が小さい第２抵抗ユニットと、第１入力部を介し、第１試験対象電源から供給された電力の電圧について降圧し、第２入力部を介し、第２試験対象電源から供給された電力の電圧について昇圧する双方向変圧器とを備え、第１抵抗ユニットや第２抵抗ユニットにおける抵抗器群のうち電圧印加する抵抗器群の数を変えることで負荷量を調整しながら負荷試験を行うために使用される負荷試験装置であって、第１入力部に接続された第１試験対象電源の負荷試験であって、最大の負荷をかける場合は、第１試験対象電源から、昇圧も降圧も行われない状態で第１抵抗ユニットに電力供給が行われ、双方向変圧器で降圧された状態で第２抵抗ユニットを構成する抵抗器群の一部または全部に電力供給が行われ、第２入力部に接続された第２試験対象電源の負荷試験であって、最大の負荷をかける場合は、第２試験対象電源から、双方向変圧器で昇圧された状態で第１抵抗ユニットを構成する抵抗器群の一部に電力供給が行われ、昇圧も降圧も行われない状態で第２抵抗ユニットに電力供給が行われる。【０００７】
高圧の負荷試験を行う際に、第１抵抗ユニットの抵抗器群だけでなく、降圧目的で双方向変圧器を用い、且つ主に低圧の第２試験対象電源の負荷試験に使用するための第２抵抗ユニットの抵抗器群の一部または全部を用いるため、第２抵抗ユニットを用いない形態に比べて、負荷量の大きい負荷試験を行うことが可能になる。
低圧の負荷試験を行う際に、第２抵抗ユニットの抵抗器群だけでなく、昇圧目的で双方向変圧器を用い、且つ主に高圧の第１試験対象電源の負荷試験に使用するための第１抵抗ユニットの抵抗器群の一部も用いるため、第１抵抗ユニットを用いない形態に比べて、負荷量の大きい負荷試験を行うことが可能になる。【０００８】
また、昇圧した電圧を印加する抵抗器群（負荷）や、降圧した電圧を印加する抵抗器群（負荷）は、負荷試験を行う抵抗器群の一部であるため、総ての抵抗器群に対して昇圧した状態の電圧を印加する形態や、総ての抵抗器群に対して降圧した状態の電圧を印加する形態に比べて、定格容量が小さい変圧器（双方向変圧器）を使用することが可能になる。【０００９】
また、双方向変圧器が、昇圧用の変圧器と、降圧用の変圧器を兼用するため、高圧の負荷試験の時に、低圧用の抵抗ユニット（第２抵抗ユニット）を活用し、低圧の負荷試験の時に、高圧用の抵抗ユニット（第１抵抗ユニット）を活用する際の変圧器を最小限の大きさにすることが可能になる。【００１０】
好ましくは、第１入力部を介し、第１試験対象電源から第１抵抗ユニットや双方向変圧器への電力供給のオンオフ制御を行う第１遮断器と、第２入力部を介し、第２試験対象電源から第２抵抗ユニットや双方向変圧器への電力供給のオンオフ制御を行う第２遮断器と、第１入力部を介し、第１試験対象電源から第１抵抗ユニットや双方向変圧器への電力供給が行われている場合に、第２遮断器をオフ状態にし、第２入力部を介し、第２試験対象電源から第２抵抗ユニットや双方向変圧器への電力供給が行われている場合に、第１遮断器をオフ状態にするインターロック回路を更に備える。【００１１】
インターロック回路により、誤配線や誤操作で、第１入力部と第２入力部の両方に試験対象電源が接続された場合でも、第１保護回路の真空遮断器と第２保護回路の配線用遮断器のいずれかをオフ状態にして、電流の流れを遮断し、後段の双方向変圧器などを保護する。【００１２】
また、好ましくは、第１入力部を介し、第１試験対象電源から第１抵抗ユニットや双方向変圧器への電力供給が行われている場合に、第１抵抗ユニットや第２抵抗ユニットを構成する抵抗器群のうち負荷試験に使用する抵抗器群を選択するための操作スイッチの操作状態にかかわらず、第２抵抗ユニットを構成する抵抗器群のうち、第１試験対象電源の負荷試験で最大の負荷をかける場合でも使用しない抵抗器群への電力供給を遮断し、第２入力部を介し、第２試験対象電源から第２抵抗ユニットや双方向変圧器への電力供給が行われている場合に、操作スイッチの操作状態にかかわらず、第１抵抗ユニットを構成する抵抗器群のうち、第２試験対象電源の負荷試験で最大の負荷をかける場合でも使用しない抵抗器群への電力供給を遮断する制御装置を更に備える。【００１３】
また、好ましくは、第２試験対象電源の定格電圧は、第１試験対象電源の定格電圧の１／５以下である。【００１４】
また、好ましくは、第２抵抗ユニットの定格容量は、第１抵抗ユニットの定格容量の１／３以下である。【００１５】
さらに好ましくは、第１抵抗ユニットを構成する抵抗器群のうち、第２試験対象電源の負荷試験に使用されるものの定格容量は、第２抵抗ユニットを構成する抵抗器群の定格容量よりも小さい。【００１６】
また、好ましくは、第１抵抗ユニットや第２抵抗ユニットを構成する抵抗器群のうち、負荷試験に使用する抵抗器群を選択するための操作スイッチと、試験対象電源の種類を選択するために使用されるモードスイッチとを有する操作部を更に備え、モードスイッチが、第１入力部を介して、第１試験対象電源の負荷試験を行う第１使用モードに設定された場合に、操作スイッチの操作状態にかかわらず、第２抵抗ユニットを構成する抵抗器群のうち、第１使用モードで使用しない抵抗器群への電力供給を遮断し、モードスイッチが、第２入力部を介して、第２試験対象電源の負荷試験を行う第２使用モードに設定された場合に、操作スイッチの操作状態にかかわらず、第１抵抗ユニットを構成する抵抗器群のうち、第２使用モードで使用しない抵抗器群への電力供給を遮断する制御装置を更に備える。【００１７】
また、好ましくは、第２抵抗ユニットを構成する抵抗器群のうち、第１試験対象電源の負荷試験に使用されるものの定格容量は、第１試験対象電源の容量の４分の３以下である。
【発明の効果】
【００１８】
以上のように本発明によれば、変圧器を大型化させずに、異なる電圧の試験対象電源の負荷試験が可能な負荷試験装置を提供することができる。
【図面の簡単な説明】
【００１９】
【図１】本実施形態における負荷試験装置の構成を示す模式図である。
【図２】第１抵抗ユニットと操作部などの接続状態を示す模式図である。
【図３】第２抵抗ユニットと操作部などの接続状態を示す模式図である。
【図４】操作部のスイッチを示す図である。
【図５】第１試験モード時の電流の流れを示す図である。
【図６】第２試験モード時の電流の流れを示す図である。
【図７】第３試験モード時の電流の流れを示す図である。
【図８】遮断器から一部の抵抗器群への電力供給を遮断する制御を行う場合における負荷試験装置の模式図である。
【図９】遮断器から一部の抵抗器群への電力供給を遮断する制御を行う場合における負荷試験装置の第１抵抗ユニットと操作部などの接続状態を示す模式図である。
【図１０】遮断器から一部の抵抗器群への電力供給を遮断する制御を行う場合における負荷試験装置の第２抵抗ユニットと操作部などの接続状態を示す模式図である。
【発明を実施するための形態】
【００２０】
以下、本実施形態について、図を用いて説明する。本実施形態における負荷試験装置１は、第１入力部１０ａ、第２入力部１０ｂ、第１保護回路２０ａ、第２保護回路２０ｂ、インターロック回路３０、双方向変圧器４０、第１抵抗ユニット５０ａ、第２抵抗ユニット５０ｂ、操作部６０を備える。
負荷試験装置１は、試験対象電源が電圧印加する（第１抵抗ユニット５０ａや第２抵抗ユニット５０ｂの）抵抗器群の数を変え、これにより負荷量を調整しながら負荷試験を行うために使用される。
【００２１】
第１入力部１０ａは、高圧試験対象電源（第１試験対象電源、定格電圧：６．６ｋＶ）を接続する入力端子である。
第２入力部１０ｂは、第１試験対象電源よりも定格電圧が低い（たとえば、１／５以下）低圧試験対象電源（第２試験対象電源、定格電圧：４００Ｖ、第３試験対象電源、定格電圧：２００Ｖ）を接続する入力端子である。
【００２２】
第１保護回路２０ａは、零相変流器（Zero-phase-sequence Current Transformer（ＺＣＴ））、地絡継電器（Ground Relay（ＧＲ））、電力計（Wattmeter（ＷＭ））、過電流継電器（Over Current Relay（ＯＣＲ））、計器用変圧器（Voltage Transformer（ＶＴ））、真空遮断器（Vacuum Circuit Breaker（ＶＣＢ）、第１遮断器）、計器用変流器（Current Transformer（ＣＴ））を有し、第１入力部１０ａに接続された高圧の試験対象電源からの電力量を計測したり、地絡や過電流が発生した場合に第１入力部１０ａに接続された試験対象電源からの電力供給を遮断したりする。
第１保護回路２０ａの真空遮断器は、第１入力部１０ａを介した、第１試験対象電源から第１抵抗ユニット５０ａや双方向変圧器４０への電力供給のオンオフ制御を行う。
【００２３】
第２保護回路２０ｂは、計器用変圧器（Voltage Transformer（ＶＴ））、電力計（Wattmeter（ＷＭ））、配線用遮断器（Molded Case Circuit Breaker（ＭＣＣＢ）、第２遮断器）、計器用変流器（Current Transformer（ＣＴ））を有し、第２入力部１０ｂに接続された低圧の試験対象電源からの電力量を計測したり、地絡や過電流が発生した場合に第２入力部１０ｂに接続された試験対象電源からの電力供給を遮断したりする。
第２保護回路２０ｂの配線用遮断器は、第２入力部１０ｂを介した、第２試験対象電源や第３試験対象電源から第２抵抗ユニット５０ｂや双方向変圧器４０への電力供給のオンオフ制御を行う。
【００２４】
インターロック回路３０は、第１保護回路２０ａの真空遮断器と、第２保護回路２０ｂの配線用遮断器との間に接続される。
【００２５】
インターロック回路３０は、第１入力部１０ａを介して、第１試験対象電源から第１抵抗ユニット５０ａや双方向変圧器４０への電力供給が行われている場合に、第２保護回路２０ｂの配線用遮断器をオフ状態にし、第２入力部１０ｂを介して、第２試験対象電源から第２抵抗ユニット５０ｂや双方向変圧器４０への電力供給が行われている場合に、第１保護回路２０ａの真空遮断器をオフ状態にする。
【００２６】
インターロック回路３０により、誤配線や誤操作で、第１入力部１０ａと第２入力部１０ｂの両方に試験対象電源が接続された場合でも、第１保護回路２０ａの真空遮断器と第２保護回路２０ｂの配線用遮断器のいずれかをオフ状態にして、電流の流れを遮断し、後段の双方向変圧器４０などを保護する。
【００２７】
双方向変圧器４０は、昇圧と降圧の両方が可能な変圧器であり、第１入力部１０ａを介し、第１試験対象電源から供給された電力の電圧について降圧し、第２入力部１０ｂを介し、第２試験対象電源から供給された電力の電圧について昇圧する。
【００２８】
本実施形態では、双方向変圧器４０が、第１入力部１０ａに接続された第１試験対象電源から印加された電圧を６６００Ｖから４００Ｖに下げ、第２入力部１０ｂに接続された第２試験対象電源から印加された電圧を４００Ｖから６６００Ｖに上げる例を示す。
【００２９】
第１抵抗ユニット５０ａは、抵抗器を１以上設けた抵抗器群とリレーのセットを複数組有する。
第１入力部１０ａに接続された第１試験対象電源からは、第１抵抗ユニット５０ａを構成する抵抗器群に対して、昇圧も降圧もされない状態の電圧が印加され、第２入力部１０ｂに接続された第２試験対象電源からは、第１抵抗ユニット５０ａを構成する抵抗器群の一部に対して、双方向変圧器４０を介して昇圧された電圧が印加される。
【００３０】
本実施形態では、定格容量：１００ｋＷの抵抗器群とリレーのセットが２４組設けられた例を示す（第１高圧用リレーＳＨ０１〜第２４高圧用リレーＳＨ２４、第１高圧用抵抗器群ＲＨ０１〜第２４高圧用抵抗器群ＲＨ２４、図２参照）。
【００３１】
第１抵抗ユニット５０ａは、主として、第１入力部１０ａに接続された高圧（６６００Ｖ）の第１試験対象電源の負荷試験を行うために使用されるが、一部の抵抗器群（第２１高圧用抵抗器群ＲＨ２１〜第２４高圧用抵抗器群ＲＨ２４）は、第２入力部１０ｂに接続された低圧（４００Ｖ）の第２試験対象電源の負荷試験を行うためにも使用される（図６参照）。
【００３２】
第１抵抗ユニット５０ａを構成する抵抗器群のうち、第２試験対象電源の負荷試験に使用されるもの（上述の一部の抵抗器群）の定格容量は、第２抵抗ユニット５０ｂを構成する抵抗器群の定格容量よりも小さい。
【００３３】
第２抵抗ユニット５０ｂは、抵抗器を複数設けた抵抗器群とリレーのセットを複数組有し、第１抵抗ユニット５０ａよりも定格容量が小さい（たとえば１／３以下）。
第１入力部１０ａに接続された第１試験対象電源からは、第２抵抗ユニット５０ｂを構成する抵抗器群の一部または全部に対して、双方向変圧器４０を介して降圧された状態の電圧が印加され、第２入力部１０ｂに接続された試験対象電源からは、第２抵抗ユニット５０ｂを構成する抵抗器群に対して、昇圧も降圧もされない状態の電圧が印加される。
【００３４】
本実施形態では、定格容量：１００ｋＷの抵抗器群とリレーのセットが４組、定格容量：５０ｋＷの抵抗器群とリレーのセットが４組、定格容量：２０ｋＷの抵抗器群とリレーのセットが３組、定格容量：１０ｋＷの抵抗器群とリレーのセットが２組、定格容量：５ｋＷの抵抗器群とリレーのセットが２組設けられた例を示す（第１低圧用リレーＳＬ０１〜第１５低圧用リレーＳＬ１５、第１低圧用抵抗器群ＲＬ０１〜第１５低圧用抵抗器群ＲＬ１５、図３参照）。
【００３５】
第２抵抗ユニット５０ｂは、主として、第２入力部１０ｂに接続された低圧（４００Ｖまたは２００Ｖ）の第２試験対象電源と第３試験対象電源の負荷試験を行うために使用されるが、一部または全部の抵抗器群（本実施形態では一部、第１２低圧用抵抗器群ＲＬ１２〜第１５低圧用抵抗器群ＲＬ１５）は、第１入力部１０ａに接続された高圧（６６００Ｖ）の第１試験対象電源の負荷試験を行うためにも使用される（図５参照）。
【００３６】
ディーゼル発電機など比較的回転数が低い発電機を第１試験対象電源として用いる場合には、定格容量が、第１試験対象電源の容量の４分の３以下になるように、第２抵抗ユニット５０ｂにおける負荷試験で用いられる抵抗器群を選択するのが望ましい。
【００３７】
第１抵抗ユニット５０ａや第２抵抗ユニット５０ｂには、それぞれの抵抗器群を冷却するための冷却ファン（不図示）が設けられる。
【００３８】
第１抵抗ユニット５０ａや第２抵抗ユニット５０ｂを構成する抵抗器群の抵抗器は、ニクロム線を金属製のさや（シース）で被ったシーズヒーターであってもよいし、蓄電池や、液体抵抗器（この場合は、冷却ファンは不要）などであってもよい。
【００３９】
操作部６０は、第１抵抗ユニット５０ａを構成する抵抗器群のうち、負荷試験で使用する抵抗器群を選択する（負荷量を調整する）ための操作スイッチ（第１高圧用操作スイッチＨ０１〜第２４高圧用操作スイッチＨ２４）と、第２抵抗ユニット５０ｂを構成する抵抗器群のうち、負荷試験で使用する抵抗器群を選択する（負荷量を調整する）ための操作スイッチ（第１低圧用操作スイッチＬ０１〜第１５低圧用操作スイッチＬ１５）と、モードスイッチ６１を有する（図４参照）。
【００４０】
第１高圧用操作スイッチＨ０１〜第２４高圧用操作スイッチＨ２４は、スライド式（若しくはトグル式若しくは押しボタン式）の操作スイッチで、第１抵抗ユニット５０ａの抵抗器群のリレー（第１高圧用抵抗器群ＲＨ０１〜第２４高圧用抵抗器群ＲＨ２４それぞれの第１高圧用リレーＳＨ０１〜第２４高圧用リレーＳＨ２４）のオンオフ制御を行うためのスイッチである。
第１高圧用操作スイッチＨ０１をオン状態にすると、第１高圧用抵抗器群ＲＨ０１の第１高圧用リレーＳＨ０１がオン状態（導通状態）にされて、第１高圧用抵抗器群ＲＨ０１に、第１入力部１０ａ若しくは第２入力部１０ｂに接続された試験対象電源からの電流が流れうる状態にされる（図４参照）。
第２高圧用操作スイッチＨ０２〜第２４高圧用操作スイッチＨ２４も、同様で、オン状態にすると、対応する抵抗器群の第２高圧用リレーＳＨ０２〜第２４高圧用リレーＳＨ２４がオン状態（導通状態）にされて、当該抵抗器群に、第１入力部１０ａ若しくは第２入力部１０ｂに接続された試験対象電源からの電流が流れうる状態にされる。
【００４１】
第１低圧用操作スイッチＬ０１〜第１５低圧用操作スイッチＬ２４は、スライド式（若しくはトグル式若しくは押しボタン式）の操作スイッチで、第２抵抗ユニット５０ｂの抵抗器群のリレー（第１低圧用抵抗器群ＲＬ０１〜第１５低圧用抵抗器群ＲＬ１５それぞれの第１低圧用リレーＳＬ０１〜第１５低圧用リレーＳＬ１５）のオンオフ制御を行うためのスイッチである。
第１低圧用操作スイッチＬ０１をオン状態にすると、第１低圧用抵抗器群ＲＬ０１の第１低圧用リレーＳＬ０１がオン状態（導通状態）にされて、第１低圧用抵抗器群ＲＬ０１に、第１入力部１０ａ若しくは第２入力部１０ｂに接続された試験対象電源からの電流が流れうる状態にされる。
第２低圧用操作スイッチＬ０２〜第１５低圧用操作スイッチＬ１５も、同様で、オン状態にすると、対応する抵抗器群の第２低圧用リレーＳＬ０２〜第１５低圧用リレーＳＬ１５がオン状態（導通状態）にされて、当該抵抗器群に、第１入力部１０ａ若しくは第２入力部１０ｂに接続された試験対象電源からの電流が流れうる状態にされる。
【００４２】
モードスイッチ６１は、負荷試験装置１のオンオフや、試験対象電源の種類を選択する（モード切替する）ために使用され、第１回転位置Ｐ１〜第４回転位置Ｐ４を有する。
定格電圧が６６００Ｖの三相交流発電機（第１試験対象電源）の負荷試験を行う場合には、モードスイッチ６１の回転位置を第１回転位置Ｐ１に合わせる。
定格電圧が４００Ｖの三相交流発電機（第２試験対象電源）の負荷試験を行う場合には、モードスイッチ６１の回転位置を第２回転位置Ｐ２に合わせる。
定格電圧が２００Ｖの三相交流発電機（第３試験対象電源）の負荷試験を行う場合には、モードスイッチ６１の回転位置を第３回転位置Ｐ３に合わせる。
負荷試験装置１をオフにする場合は、モードスイッチ６１の回転位置を第４回転位置Ｐ４に合わせる。
【００４３】
モードスイッチ６１の回転位置を第１回転位置Ｐ１に合わせた場合、すなわち、負荷試験装置１が第１試験対象電源の負荷試験を行う第１使用モードに設定された場合、第１保護回路２０ａの真空遮断器がオン状態（第１入力部１０ａに接続された第１試験対象電源からの電力が第１抵抗ユニット５０ａなどに供給される状態）にされ、第１抵抗ユニット５０ａと第２抵抗ユニット５０ｂの冷却ファンが駆動され、第１高圧用操作スイッチＨ０１〜第２４高圧用操作スイッチＨ２４と第１２低圧用操作スイッチＬ１２〜第１５低圧用操作スイッチＬ１５の操作状態に基づき、第１高圧用抵抗器群ＲＨ０１〜第２４高圧用抵抗器群ＲＨ２４それぞれの第１高圧用リレーＳＨ０１〜第２４高圧用リレーＳＨ２４、及び第１２低圧用抵抗器群ＲＬ１２〜第１５低圧用抵抗器群ＲＬ１５それぞれの第１２低圧用リレーＳＬ１２〜第１５低圧用リレーＳＬ１５のオンオフ制御が行われる（図５参照）。
図５は、第1試験対象電源から電力供給され得る抵抗器群までの電力線を太線で示す。
【００４４】
この場合に、負荷試験に使用しない第１低圧用抵抗器群ＲＬ０１〜第１１低圧用抵抗器群ＲＬ１１に誤って第１試験対象電源からの電力供給がされないように、第１試験対象電源から第１低圧用抵抗器群ＲＬ０１〜第１１低圧用抵抗器群ＲＬ１１への電力供給を遮断する第１制御装置（リレーなど）７１が設けられるのが望ましい。
第１制御装置７１は、モードスイッチ６１の回転位置を第１回転位置Ｐ１に合わせた場合に、第１低圧用操作スイッチＬ０１〜第１１低圧用操作スイッチＨ１１の操作状態にかかわらず、第１低圧用リレーＳＬ０１〜第１１低圧用リレーＳＬ１１をオフ状態にする。
第１制御装置７１は、操作部６０の近傍に設けられたり、操作部６０に内蔵されたりする形態であってもよいし、他の部位に設けられる形態であってもよい。
【００４５】
モードスイッチ６１の回転位置を第２回転位置Ｐ２に合わせた場合、すなわち、負荷試験装置１が第２試験対象電源の負荷試験を行う第２使用モードに設定された場合、第２保護回路２０ｂの配線用遮断器がオン状態（第２入力部１０ｂに接続された第２試験対象電源からの電力が第２抵抗ユニット５０ｂなどに供給される状態）にされ、第１抵抗ユニット５０ａと第２抵抗ユニット５０ｂの冷却ファンが駆動され、第２１高圧用操作スイッチＨ２１〜第２４高圧用操作スイッチＨ２４と第１低圧用操作スイッチＬ０１〜第１５低圧用操作スイッチＬ１５の操作状態に基づき、第２１高圧用抵抗器群ＲＨ２１〜第２４高圧用抵抗器群ＲＨ２４それぞれの第２１高圧用リレーＳＨ２１〜第２４高圧用リレーＳＨ２４、及び第１低圧用抵抗器群ＲＬ０１〜第１５低圧用抵抗器群ＲＬ１５それぞれの第１低圧用リレーＳＬ０１〜第１５低圧用リレーＳＬ１５のオンオフ制御が行われる（図６参照）。
図６は、第２試験対象電源から電力供給され得る抵抗器群までの電力線を太線で示す。
【００４６】
この場合に、負荷試験に使用しない第１高圧用抵抗器群ＲＨ０１〜第２０高圧用抵抗器群ＲＨ２０に誤って第２試験対象電源からの電力供給がされないように、第２試験対象電源から第１高圧用抵抗器群ＲＨ０１〜第２０高圧用抵抗器群ＲＨ２０への電力供給を遮断する第２制御装置（リレーなど）７２が設けられるのが望ましい。
第２制御装置７２は、モードスイッチ６１の回転位置を第２回転位置Ｐ２に合わせた場合に、第１高圧用操作スイッチＨ０１〜第２０高圧用操作スイッチＨ２０の操作状態にかかわらず、第１高圧用リレーＳＨ０１〜第２０高圧用リレーＳＨ２０をオフ状態にする。
第２制御装置７２は、操作部６０の近傍に設けられたり、操作部６０に内蔵されたりする形態であってもよいし、他の部位に設けられる形態であってもよい。
【００４７】
モードスイッチ６１の回転位置を第３回転位置Ｐ３に合わせた場合、すなわち、負荷試験装置１が第３試験対象電源の負荷試験を行う第３使用モードに設定された場合、第２保護回路２０ｂの配線用遮断器がオン状態（第２入力部１０ｂに接続された第３試験対象電源からの電力が第２抵抗ユニット５０ｂに供給される状態）にされ、第２抵抗ユニット５０ｂの冷却ファンが駆動され、第１低圧用操作スイッチＬ０１〜第１５低圧用操作スイッチＬ１５の操作状態に基づき、第１低圧用抵抗器群ＲＬ０１〜第１５低圧用抵抗器群ＲＬ１５それぞれの第１低圧用リレーＳＬ０１〜第１５低圧用リレーＳＬ１５のオンオフ制御が行われる（図７参照）。
図７は、第３試験対象電源から電力供給され得る抵抗器群までの電力線を太線で示す。
【００４８】
第２制御装置７２は、モードスイッチ６１の回転位置を第３回転位置Ｐ３に合わせた場合に、第１高圧用操作スイッチＨ０１〜第２４高圧用操作スイッチＨ２４の操作状態にかかわらず、第１高圧用リレーＳＨ０１〜第２４高圧用リレーＳＨ２４をオフ状態にするのが望ましい。
【００４９】
従って、第１入力部１０ａに接続された第１試験対象電源の負荷試験であって、最大の負荷をかける場合は、第１試験対象電源から、昇圧も降圧も行われない状態で第１抵抗ユニット５０ａを構成する抵抗器群に電力供給が行われ、双方向変圧器４０で降圧された状態で第２抵抗ユニット５０ｂを構成する抵抗器群の一部または全部に電力供給が行われる。
【００５０】
また、第２入力部１０ｂに接続された第２試験対象電源の負荷試験であって、最大の負荷をかける場合は、第２試験対象電源から、双方向変圧器４０で昇圧された状態で第１抵抗ユニット５０ａを構成する抵抗器群の一部に電力供給が行われ、昇圧も降圧も行われない状態で第２抵抗ユニット５０ｂを構成する抵抗器群に電力供給が行われる。
【００５１】
また、第２入力部１０ｂに接続された第３試験対象電源の負荷試験であって、最大の負荷をかける場合は、第２試験対象電源から、昇圧も降圧も行われない状態で第２抵抗ユニット５０ｂを構成する抵抗器群に電力供給が行われる。
【００５２】
モードスイッチ６１の回転位置を第４回転位置Ｐ４に合わせた場合、第１保護回路２０ａの真空遮断器と、第２保護回路２０ｂの配線用遮断器がオフ状態にされる。
【００５３】
高圧の負荷試験を行う際に、第１抵抗ユニット５０ａの抵抗器群だけでなく、降圧目的で双方向変圧器４０を用い、且つ主に低圧の第２試験対象電源や第３試験対象電源の負荷試験に使用するための第２抵抗ユニット５０ｂの抵抗器群の一部または全部を用いるため、第２抵抗ユニット５０ｂを用いない形態に比べて、負荷量の大きい負荷試験を行うことが可能になる。
低圧の負荷試験を行う際に、第２抵抗ユニット５０ｂの抵抗器群だけでなく、昇圧目的で双方向変圧器４０を用い、且つ主に高圧の第１試験対象電源の負荷試験に使用するための第１抵抗ユニット５０ａの抵抗器群の一部も用いるため、第１抵抗ユニット５０ａを用いない形態に比べて、負荷量の大きい負荷試験を行うことが可能になる。
【００５４】
また、昇圧した電圧を印加する抵抗器群（負荷）や、降圧した電圧を印加する抵抗器群（負荷）は、負荷試験を行う抵抗器群の一部であるため、総ての抵抗器群に対して昇圧した状態の電圧を印加する形態や、総ての抵抗器群に対して降圧した状態の電圧を印加する形態に比べて、定格容量が小さい変圧器（双方向変圧器４０）を使用することが可能になる。
【００５５】
また、双方向変圧器４０が、昇圧用の変圧器と、降圧用の変圧器を兼用するため、高圧の負荷試験の時（第１試験モードの時）に、低圧用の抵抗ユニット（第２抵抗ユニット５０ｂ）を活用し、低圧の負荷試験の時（第２試験モードの時）に、高圧用の抵抗ユニット（第１抵抗ユニット５０ａ）を活用する際の変圧器を最小限の大きさにすることが可能になる。
【００５６】
また、主に高圧の試験対象電源の負荷試験に用いる抵抗ユニット（第１抵抗ユニット５０ａ）の抵抗器群の一部を、低圧の試験対象電源の負荷試験抵抗器群として用い、主に低圧の試験対象電源の負荷試験に用いる抵抗ユニット（第２抵抗ユニット５０ｂ）の抵抗器群の一部または全部を、高圧の試験対象電源の負荷試験抵抗器群として用い、抵抗器群の少なくとも一部を高圧の試験対象電源と低圧の試験対象電源の負荷試験抵抗器群として共用するので、共用する抵抗器群の材料費を削減することが出来る。
【００５７】
共用する抵抗器群の材料費を削減出来ることにより、双方向変圧器４０を増設したことによって材料費が増加したことを考慮しても、抵抗器群の少なくとも一部を共用せずに、高圧の試験対象電源の負荷試験に用いる負荷試験装置と、低圧の試験対象電源の負荷試験に用いる負荷試験装置を別々に構成した場合に比べて、負荷試験装置全体の材料費を少なくすることが可能になる。
【００５８】
なお、第２制御装置７２として、第２保護回路２０ｂの配線用遮断器がオン状態にされたことを検出し、若しくは、配線用遮断器から第２抵抗ユニット５０ｂへの電力供給検知（たとえば、電圧検知）した場合に、第２試験対象電源や第３試験対象電源の負荷試験で最大の負荷をかける場合でも使用しない抵抗器群（第１高圧用抵抗器群ＲＨ０１〜第２０高圧用抵抗器群ＲＨ２０）に対応する第１高圧用リレーＳＨ０１〜第２０高圧用リレーＳＨ２０をオフ状態にするスイッチ（第１高圧用遮断リレーＸ０１〜第２０高圧用遮断リレーＸ２０）が第１抵抗ユニット５０ａなどに設けられる形態であってもよい（図８、図９参照）。
【００５９】
また、第１制御装置７１として、第１保護回路２０ａの真空遮断器がオン状態にされたことを検出し、若しくは、真空遮断器から第１抵抗ユニット５０ａへの電力供給検知（たとえば、電圧検知）した場合に、第１試験対象電源の負荷試験で最大の負荷をかける場合でも使用しない抵抗器群（第１低圧用抵抗器群ＲＬ０１〜第１１低圧用抵抗器群ＲＬ１１）に対応する第１低圧用リレーＳＬ０１〜第１１低圧用リレーＳＬ１１をオフ状態にするスイッチ（第１低圧用遮断リレーＹ０１〜第１１低圧用遮断リレーＹ１１）が第２抵抗ユニット５０ｂなどに設けられる形態であってもよい（図８、図１０参照）。
【００６０】
なお、抵抗器群の定格容量、試験対象電源の定格電圧、抵抗器群の数、第１抵抗ユニット５０ａにおける低圧の負荷試験で用いる抵抗器群の数、第２抵抗ユニット５０ｂにおける高圧の負荷試験で用いる抵抗器群の数などは、一例であり、他の数値であっても良い。
【符号の説明】
【００６１】
１  負荷試験装置
１０ａ  第１入力部
１０ｂ  第２入力部
２０ａ  第１保護回路
２０ｂ  第２保護回路
３０  インターロック回路
４０  双方向変圧器
５０ａ  第１抵抗ユニット
５０ｂ  第２抵抗ユニット
６０  操作部
６１  モードスイッチ
７１  第１制御装置
７２  第２制御装置
Ｈ０１〜Ｈ２４  第１高圧用操作スイッチ〜第２４高圧用操作スイッチ
Ｌ１０〜Ｌ１５  第１低圧用操作スイッチ〜第１５低圧用操作スイッチ
ＲＨ０１〜ＲＨ２４  第１高圧用抵抗器群〜第２４高圧用抵抗器群
ＲＬ０１〜ＲＬ１５  第１低圧用抵抗器群〜第１５低圧用抵抗器群
ＳＨ０１〜ＳＨ２４  第１高圧用リレー〜第２４高圧用リレー
ＳＬ０１〜ＳＬ１５  第１低圧用リレー〜第１５低圧用リレー
Ｘ０１〜Ｘ２０  第１高圧用遮断リレー〜第２０高圧用遮断リレー
Ｙ０１〜Ｙ１１  第１低圧用遮断リレー〜第１１低圧用遮断リレー
【図１】
2017134768.tif 000003
【図２】
2017134768.tif 000004
【図３】
2017134768.tif 000005
【図４】
2017134768.tif 000006
【図５】
2017134768.tif 000007
【図６】
2017134768.tif 000008
【図７】
2017134768.tif 000009
【図８】
2017134768.tif 000010
【図９】
2017134768.tif 000011
【図１０】
2017134768.tif 000012
【国際調査報告】
2017134768.tif 000013
2017134768.tif 000014